(57)【特許請求の範囲】
【請求項１】
タッチ面の一部をロール状に収納可能なフレキシブルタッチパネルと、
前記フレキシブルタッチパネルをロール状に収納する収納部と、
前記収納部から引き出されているフレキシブルタッチパネルを保持するとともに、当該フレキシブルタッチパネルにおけるタッチ操作による押圧を支持する押圧指示面を前記フレキシブルタッチパネルの背面側に形成する第１の背面板を保持する第１の保持フレームと、
前記第１の保持フレームに対して第１の摩擦係数をもって前記フレキシブルタッチパネルの引き出し方向に伸縮可能に連結されるとともに、前記収納部から引き出されたフレキシブルタッチパネルを保持し、当該フレキシブルタッチパネルにおけるタッチ操作による押圧を支持する押圧指示面を前記フレキシブルタッチパネルの背面側に形成する第２の背面板を保持する第２の保持フレームと、
前記第２の保持フレームに対して第２の摩擦係数をもって前記フレキシブルタッチパネルの引き出し方向に伸縮可能に連結されるとともに、前記収納部から引き出されたフレキシブルタッチパネルを保持し、当該フレキシブルタッチパネルにおけるタッチ操作による押圧を支持する押圧指示面を前記フレキシブルタッチパネルの背面側に形成する第３の背面板を保持する第３の保持フレームと、
を備え、
前記フレキシブルタッチパネルの収納時には、前記第１の背面板と第３の背面板とは、前記第２の背面板を挟むように重ねて配置されるように、前記第１の保持フレーム、前記第２の保持フレーム、および前記第３の保持フレームは、相互に重なった縮小状態となり、
前記フレキシブルタッチパネルが引き出されるときには、前記第１の保持フレームおよび第２の保持フレームは、前記第１の背面板と前記第２の背面板とが重なり合う範囲で伸縮可能に構成され、前記第２の保持フレームおよび前記第３の保持フレームは、前記第２の背面板と前記第３の背面板が重なり合う範囲で伸縮可能に構成され、
前記第１の摩擦係数および前記第２の摩擦係数を互いに異なった係数に調整することで、前記第１の保持フレーム、前記第２の保持フレームおよび前記第３の保持フレームのそれぞれを段階的に引き出すように構成され、
前記第１の背面板、前記第２の背面板、および前記第３の背面板は、フレキシブルタッチパネルが引き出された状態においては、それぞれが形成する押圧指示面が、他の背面板が形成する押圧指示面と略同一面で形成するように、上側に重ねられた部分における背面板には下方に傾斜したテーパ部が形成されている、携帯端末。
【請求項２】
前記第１の摩擦係数は、前記第２の摩擦係数より大きい値に調整されており、
前記縮小状態においては、下から前記第１の背面板、前記第２の背面板、および前記第３の背面板の順番に重ねて配置待機しているとともに、
前記第１の保持フレームに対して、前記収納部から前記フレキシブルタッチパネルが引き出される方向に力が加わると、第３の保持フレームのみが移動することにより、前記フレキシブルタッチパネルは拡大状態に変形し、
前記第３の保持フレームが引き出し方向に対して移動し終わった状態において、前記第３の保持フレームに対して、さらに前記収納部から前記フレキシブルタッチパネルが引き出される方向に力が加わると、前記第２の保持フレームが前記第１の保持フレームから移動することにより、前記フレキシブルタッチパネルは拡大状態に変形する、請求項１に記載の携帯端末。
【請求項３】
前記第１の保持フレームには、前記フレキシブルタッチパネルの引き出し方向に摺動可能な第１のガイド溝が形成されており、前記第２の保持フレームは、ネジ状の保持具を前記第１のガイド溝に沿って摺動可能に締め付けることにより、前記第１の保持フレームに連結され、
前記第２の保持フレームには、前記フレキシブルタッチパネルの引き出し方向に摺動可能な第２のガイド溝が形成されており、前記第３の保持フレームは、ネジ状の保持具を第２のガイド溝に沿って摺動可能に締め付けることによって、前記第２の保持フレームに連結される、請求項１または２に記載の携帯端末。
【発明の詳細な説明】
【技術分野】
【０００１】
本発明は、フレキシブルディスプレイを有する携帯端末に関する。
【背景技術】
【０００２】
ディスプレイなどの表示画面およびタッチパネルをＵ字状に曲げこみ伸縮可能に収納する構造を有する携帯端末が、下記特許文献１に記載されている。この文献１によると、Ｕ字状に収納された表示部およびタッチパネルを筐体外に引き出して使用することができる。
【先行技術文献】
【特許文献】
【０００３】
【特許文献１】特開２０１４−７２８８４号公報
【発明の概要】
【発明が解決しようとする課題】
【０００４】
フレキシブルに変形可能なタッチパネルは、弾力感があるために、固定されていない状態で、タッチ操作をすることは困難である。例えば、文献１に記載されているように収納状態から引き出して使用する場合、フレキシブルなタッチパネルは固定されていないため、十分な押圧力をもってタッチすることができない。したがって、タッチパネルはタッチ操作を認識することができない場合があり得る。
【０００５】
そこで、上記課題を解決するために、本発明は、フレキシブルなタッチパネルに対してタッチ操作性を向上させた携帯端末を提供することを目的とする。
【課題を解決するための手段】
【００１０】
また、本発明の携帯端末は、タッチ面の一部をロール状に収納可能なフレキシブルタッチパネルと、前記フレキシブルタッチパネルをロール状に収納する収納部と、前記収納部から引き出されているフレキシブルタッチパネルを保持するとともに、当該フレキシブルタッチパネルにおけるタッチ操作による押圧を支持する押圧指示面を前記フレキシブルタッチパネルの背面側に形成する第１の背面板を保持する第１の保持フレームと、前記第１の保持フレームに対して第１の摩擦係数をもって前記フレキシブルタッチパネルの引き出し方向に伸縮可能に連結されるとともに、前記収納部から引き出されたフレキシブルタッチパネルを保持し、当該フレキシブルタッチパネルにおけるタッチ操作による押圧を支持する押圧指示面を前記フレキシブルタッチパネルの背面側に形成する第２の背面板を保持する第２の保持フレームと、前記第２の保持フレームに対して第２の摩擦係数をもって前記フレキシブルタッチパネルの引き出し方向に伸縮可能に連結されるとともに、前記収納部から引き出されたフレキシブルタッチパネルを保持し、当該フレキシブルタッチパネルにおけるタッチ操作による押圧を支持する押圧指示面を前記フレキシブルタッチパネルの背面側に形成する第３の背面板を保持する第３の保持フレームと、を備え、前記フレキシブルタッチパネルの収納時には、前記第１の背面板と第３の背面板とは、前記第２の背面板を挟むように重ねて配置されるように、前記第１の保持フレーム、前記第２の保持フレーム、および前記第３の保持フレームは、相互に重なった縮小状態となり、前記フレキシブルタッチパネルが引き出されるときには、前記第１の保持フレームおよび第２の保持フレームは、前記第１の背面板と前記第２の背面板とが重なり合う範囲で伸縮可能に構成され、前記第２の保持フレームおよび前記第３の保持フレームは、前記第２の背面板と前記第３の背面板が重なり合う範囲で伸縮可能に構成され、前記第１の摩擦係数および前記第２の摩擦係数を互いに異なった係数に調整することで、前記第１の保持フレーム、前記第２の保持フレームおよび前記第３の保持フレームのそれぞれを段階的に引き出すように構成され、前記第１の背面板、前記第２の背面板、および前記第３の背面板は、フレキシブルタッチパネルが引き出された状態においては、それぞれが形成する押圧指示面が、他の背面板が形成する押圧指示面と略同一面で形成するように、上側に重ねられた部分における背面板には下方に傾斜したテーパ部が形成されている。
【００１１】
この発明によれば、第１の摩擦係数および第２の摩擦係数を互いに異なった係数に調整することで、第１の保持フレーム、第２の保持フレームおよび第３の保持フレームのそれぞれを段階的に引き出すことができ、その際において、第１の背面板、第２の背面板、および第３の背面板は、フレキシブルタッチパネルが引き出された状態においては、それぞれ第１の背面板、第２の背面板、第３の背面板が形成する押圧指示面が、それぞれに形成されているテーパ部を用いて他の背面板が形成する押圧指示面と略同一面で形成することができる。
【００１２】
ここで、本発明における摩擦係数として、前記第１の摩擦係数は、前記第２の摩擦係数より大きい値に調整した場合、前記縮小状態においては、下から前記第１の背面板、前記第２の背面板、および前記第３の背面板の順番に重ねて配置待機しているとともに、前記第１の保持フレームに対して、前記収納部から前記フレキシブルタッチパネルが引き出される方向に力が加わると、第３の保持フレームのみが移動することにより、前記フレキシブルタッチパネルは拡大状態に変形し、前記第３の保持フレームが引き出し方向に対して移動し終わった状態において、前記第３の保持フレームに対して、さらに前記収納部から前記フレキシブルタッチパネルが引き出される方向に力が加わると、前記第２の保持フレームが前記第１の保持フレームから移動することにより、前記フレキシブルタッチパネルは拡大状態に変形する、ことになる。
【００１３】
また、本発明の携帯端末は、前記第１の保持フレームには、前記フレキシブルタッチパネルの引き出し方向に摺動可能な第１のガイド溝が形成されており、前記第２の保持フレームは、ネジ状の保持具を前記第１のガイド溝に沿って摺動可能に締め付けることにより、前記第１の保持フレームに連結され、前記第２の保持フレームには、前記フレキシブルタッチパネルの引き出し方向に摺動可能な第２のガイド溝が形成されており、前記第３の保持フレームは、ネジ状の保持具を第２のガイド溝に沿って摺動可能に締め付けることによって、前記第２の保持フレームに連結される。
【００１４】
この発明によれば、保持具とガイド溝とを用いて保持具の締め付け具合によって第１の摩擦係数、第２の摩擦係数を調整することができる。
【発明の効果】
【００１５】
本発明によれば、フレキシブルタッチパネルの押圧指示面を形成する複数の背面板の段差を解消することができ、フレキシブルタッチパネルのタッチ操作を良好に行うことができる。
【図面の簡単な説明】
【００１６】
【図１】本実施形態の携帯端末１００の外観斜視図である。
【図２】携帯端末１００においてフレキシブルタッチパネル１０５を除いた外観斜視図である。
【図３】背面板１０２ｄ〜１０４ｄにおけるテーパ部Ｔ１およびＴ２の模式図を示す。
【図４】カバー１０２ｅ〜１０２ｄ、および背面板１０２ｄを除外した携帯端末１００の斜視図である。
【図５】フレーム１０２〜フレーム１０４、ならびに保持具１０３ａ、１０４ａの分解斜視図である。
【図６】本実施形態の携帯端末１００の側面断面図である。
【図７】本実施形態の携帯端末１００の段階的にフレームが引き出されたときの模式図を示す。
【図８】本実施形態の携帯端末１００の段階的にフレームが引き出されたときの他の例にける模式図を示す。
【発明を実施するための形態】
【００１７】
添付図面を参照しながら本発明の実施形態を説明する。可能な場合には、同一の部分には同一の符号を付して、重複する説明を省略する。
【００１８】
図１は、本実施形態の携帯端末１００の外観斜視図である。図１に示される通り、携帯端末１００は、収納部１０１、フレーム１０２〜１０４、保持具１０２ａ〜１０３ａ、フレキシブルタッチパネル１０５を含んで構成されている。
【００１９】
収納部１０１は、フレキシブルタッチパネル１０５をロール状に収納する部分である。この収納部１０１は、ゼンマイによりフレキシブルタッチパネル１０５を常に巻き取る方向に力を掛けて、当該フレキシブルタッチパネル１０５をロール状に収納している。ユーザは、引き出す方向にゼンマイによる引力より大きな力を加えると、フレキシブルタッチパネル１０５を引き出すことができる。
【００２０】
フレーム１０２〜フレーム１０４は、フレキシブルタッチパネルの引き出し方向を横方向とした仮定した場合において、その上下の両端部を保持可能に、一対のフレームから構成されている。このフレーム１０２〜１０４は、相互に重ね合わせることで、フレキシブルタッチパネル１０５の引き出し方向に伸縮自在に構成されている。このフレーム１０２およびフレーム１０３には、ガイド溝１０２ｂおよびガイド溝１０３ｂが形成されている。
【００２１】
フレーム１０２は、フレーム１０３とガイド溝１０４ｂと保持具１０４ａを用いて連結される。より具体的には、フレーム１０４がフレーム１０２に形成されているガイド溝１０４ｂに沿って摺動可能なように、保持具１０４ａを用いて、フレーム１０２とフレーム１０３とをネジ止めすることにより、連結される。保持具１０２ａは、ネジであって、その締め付け具合により、フレーム１０２とフレーム１０３との間の摩擦係数μ１が定められる。
【００２２】
フレーム１０３は、フレーム１０４に対して、フレーム１０３に形成されているガイド溝１０３ｂに沿って摺動可能に、保持具１０３ａを用いてフレーム１０３をネジ止めすることにより、連結される。保持具１０３ａは、ネジであって、その締め付け具合により、フレーム１０３とフレーム１０４との間の摩擦係数μ２が定められる。
【００２３】
本実施形態においては、摩擦係数μ１＞摩擦係数μ２としている。このような摩擦係数を設定することによって、各フレーム１０２〜１０４は、段階的に引き出されることになる。すなわち、フレキシブルタッチパネル１０５を引き出そうとして、ユーザは、フレーム１０２と収納部１０１とを互いに逆方向に力を加えると、フレーム１０４（収納部１０１とともに）が、フレーム１０３に形成されるガイド溝１０３ｂに沿ってスライドする。これにより、フレーム１０３に重なって配置されていたフレーム１０４が出現することになる。よって、フレキシブルタッチパネル１０５の操作面を拡大することができる。なお、本実施形態においては、便宜上、フレーム１０４を基準にして、収納部１０１を引き出し方向ｘに力を加えることを前提に、動きの説明をする。
【００２４】
そして、さらにフレーム１０４を引き出し方向に力を加えると（図１（ｃ）参照）、フレーム１０２に重なって配置されていたフレーム１０３が、フレーム１０２のガイド溝１０２ｂに沿って移動し、フレーム１０４外に現れる。その結果、フレキシブルタッチパネル１０５の操作面はさらに拡大される（図１（ａ）参照）。このフレーム１０４は、収納部１０１に対して固着して設定されており、収納部１０１から引き出されたフレキシブルタッチパネル１０５を保持するように構成されている。
【００２５】
これらフレーム１０２〜１０４ごとに、カバー１０２ｅ〜１０４ｅが設けられている。このカバー１０２ｅ〜１０４ｅは、フレキシブルタッチパネル１０５の外縁部分を撓まないように抑える機能を有する。
【００２６】
このように、フレーム１０２〜１０４をそれぞれ連結する保持具による摩擦係数を変えることによって、フレーム１０２〜１０３を段階的にスライドすることができる。
【００２７】
図２は、図１における携帯端末１００においてフレキシブルタッチパネル１０５を除いた外観斜視図である。図２に示される通り、携帯端末１００においては、フレキシブルタッチパネル１０５の背面側に、背面板１０２ｄ〜１０４ｄが配置されている。この背面板１０２ｄ〜１０４ｄは、フレキシブルタッチパネル１０５におけるタッチ操作を確実に検知させるために、配置されているものであり、フレキシブルタッチパネル１０５に対する押圧を支えるための押圧支持面を形成する。これら背面板１０２ｄ〜１０４ｄは、それぞれフレーム１０２〜１０４に対応付けて配置されている。ここで、それぞれ上側に重ねられている背面板１０３ｄ〜１０４ｄは、フレーム１０２〜１０４が拡大状態にスライドした場合に、略同一面を形成するように、背面板同士が重なっている部分にテーパ部Ｔ１およびＴ２が形成されている。
【００２８】
図３は、背面板１０２ｄ〜１０４ｄにおけるテーパ部Ｔ１およびＴ２の模式図を示す。図３（ａ）は、携帯端末１００の待機状態における各背面板１０２ｄ〜１０４ｄの格納状態を示す図である。図に示される通り、背面板１０２ｄ〜１０４ｄは、重なった状態でフレーム１０２〜１０４内に格納さている。
【００２９】
ここで、図３（ｂ）に示される通り、収納部１０１に対して引き出し方向ｘに力が加えられると、フレーム１０２からフレーム１０４（収納部１０１とともに）が引き出される。ここで、背面板１０４ｄにおける、背面板１０３ｄと重なっている部分は、その外縁部（背面板１０３ｄ側）にいくにつれて下がるようなテーパ部Ｔ１が形成されている。このようなテーパ部Ｔ１が形成されていることにより、タッチ操作をしようとした場合において、背面板１０３ｄと背面板１０２との段差を感じることが少なくなり、操作性を向上させることができる。
【００３０】
さらに、図３（ｃ）に示される通り、フレーム１０２を基準に、収納部１０１を引き出し方向に引っ張ると、フレーム１０３がフレーム１０２から引き出されることになる。ここでも背面板１０３ｄにおける背面板１０２ｄと重なっている部分は、上記と同様にその外縁部にいくにつれて下がるようなテーパ部Ｔ２が形成されている。ここでも上述の通り、タッチ操作を向上させるという効果が得られる。
【００３１】
図３（ａ）〜図３（ｃ）に示されるように、上から背面板１０４ｄ、背面板１０３ｄ、背面板１０２ｄの順に重ねられており、上から順に背面板が引き出されるように、上述保持具１０２ａおよび１０２ｂによる摩擦係数が定められている。これによって、背面板１０３ｄ、１０４ｄに形成されるテーパ部で、それぞれの背面板が重なっている状態により生ずる段差を解消することができる。なお、これらテーパ部Ｔ１、Ｔ２は、その例示として、背面板１０３ｄ、１０４ｄのそれぞれの端部において形成されているが、これに限るものではなく、背面板１０３ｄ、１０４ｄの全体で傾斜するテーパ部が形成されるようにしてもよい。
【００３２】
図４は、カバー１０２ｅ〜１０３ｅ、および背面板１０２ｄを除外した携帯端末１００の斜視図である。図４に示される通り、フレーム１０３には、その内部においてフレーム１０４が重ねられて配置可能にするための伸縮溝１０３ｆが形成されている。また、同様にフレーム１０２には、フレーム１０３を重ねて配置可能にした伸縮溝１０２ｆが形成されている。このような伸縮溝１０２ｆ、１０３ｆを有することにより、フレーム１０２〜１０４からなる携帯端末１００を縮小状態に変形することができる。
【００３３】
ここでフレーム１０３は、背面板１０３ｄと一体形成されたものであり、フレーム１０３の縮小時には背面板１０３ｄは、背面板１０２ｄの上を覆うように重なって配置されることで、フレーム１０２とフレーム１０３とは縮小状態に変形することができる。
【００３４】
図５は、フレーム１０２〜フレーム１０４、ならびに保持具１０３ａ、１０４ａの分解斜視図である。図５から明らかなとおり、フレーム１０４は、フレーム１０３に形成されるガイド溝１０３ｂに対して保持具１０３ａがネジ止めされることにより、フレーム１０３に対して摺動可能に連結される。
【００３５】
また、フレーム１０３は、フレーム１０２に形成されるガイド溝１０２ｂに対して保持具１０２ａがネジ止めされることにより、フレーム１０２に対して摺動可能に連結される。
【００３６】
図６は、本実施形態の携帯端末１００の側面断面図である。図に示される通り、フレキシブルタッチパネル１０５の背面側には保護フィルム１０５ａが配置される。この保護フィルム１０５ａは、ロール状に収納できる程度に変形可能であるとともに、ある程度の硬度を有したフィルムである。これにより、ユーザがフレキシブルタッチパネル１０５に対してタッチ操作をするに際して、背面板１０２ｄ〜１０４ｄによる段差による違和感を解消することができる。
【００３７】
収納部１０１は、フレキシブルタッチパネル１０５をロール状に収納するとともに、この保護フィルム１０５ａを重ねてロール状に収納している。ここで保護フィルム１０５ａは、フレキシブルタッチパネル１０５に貼付されることなく、収納部１０１に収納可能に構成されている。なお、保護フィルム１０５ａは、収納部１０１のゼンマイに接着されており、常に巻き取られる方向に力が加えられている。一方、その反対側は、どこにも接着されることなく自由度をもって配置されている。よって、フレキシブルタッチパネル１０５が引き出されるときには、その引き出し操作に伴って、保護フィルム１０５ａも引き出される。
【００３８】
フレキシブルタッチパネル１０５と、保護フィルム１０５ａとは、重なってロール状に収納部１０１に収納されている。そのため、フレキシブルタッチパネル１０５を引き出すときには、その円周差によって保護フィルム１０５ａとフレキシブルタッチパネル１０５との引き出される長さがずれる。上述の通り、保護フィルム１０５ａは、引き出される側はどこにも接着されておらず、自由度をもって配置されているため、この円周差により生ずる引き出し具合のずれを吸収することができる。フレキシブルタッチパネルに貼り付けてしまう場合、巻き取る際、または引き出す際の円周差のためフレキシブルタッチパネル１０５が引っ張られ、破損する可能性があるが、上述の通り、フレキシブルタッチパネル１０５と、保護フィルム１０５ａとは、接着されていないことから、そのような破損する可能性がない。
【００３９】
つぎに、本実施形態の携帯端末１００の作用効果について説明する。この携帯端末１００は、収納部１０１にタッチ面の一部をロール状に収納可能なフレキシブルタッチパネル１０５を備えている。そして、収納部１０１から引き出されているフレキシブルタッチパネル１０５の背面に配置され、フレキシブルタッチパネル１０５におけるタッチ操作による押圧を支持する押圧指示面を形成する背面板１０２ｄと、フレキシブルタッチパネル１０５の収納時には、背面板１０２ｄに重ねて配置されるとともに、フレキシブルタッチパネル１０５が収納部１０１から引き出されると、背面板１０２ｄと重なり合う範囲で当該引き出しに追動して、フレキシブルタッチパネル１０５におけるタッチ操作による押圧を支持する押圧指示面を形成する背面板１０３ｄと、を備える。
【００４０】
そして、フレキシブルタッチパネル１０５が引き出された状態においては、背面板１０２ｄと背面板１０３ｄとのそれぞれの押圧指示面が略同一面で形成されるように、背面板１０２ｄおよび背面板１０３ｄのうち上側に重ねられた部分における背面板には下方に傾斜したテーパ部Ｔ１が形成されている。
【００４１】
この携帯端末１００においては、フレキシブルタッチパネル１０５を引き出した際に、背面板１０２ｄおよび背面板１０３ｄがフレキシブルタッチパネル１０５に対して押圧指示面を形成することができる。そして、その際に重なっている状態において生ずる段差を解消することができ、フレキシブルタッチパネルのタッチ操作を良好に行うことができる。
【００４２】
また、この携帯端末１００においては、フレキシブルタッチパネル１０５と背面板１０２ｄおよび背面板１０３ｄとの間に、保護フィルムが配置されることで、さらに、背面板１０２ｄおよび背面板１０３ｄにより生ずる段差を解消することができる。
【００４３】
なお、上述の作用効果は背面板１０２ｄと背面板１０３ｄとを例に挙げたが、背面板１０３ｄと背面板１０４ｄとの関係においても同様の作用効果を奏するものである。
【００４４】
また、本実施形態の携帯端末１００は、収納部１０１から引き出されているフレキシブルタッチパネル１０５を保持するとともに、当該フレキシブルタッチパネル１０５におけるタッチ操作による押圧を支持する押圧指示面をフレキシブルタッチパネル１０５の背面側に形成する背面板１０２ｄを保持するフレーム１０２と、フレーム１０２に対して第１の摩擦係数をもってフレキシブルタッチパネル１０５の引き出し方向に伸縮可能に連結されるとともに、収納部１０１から引き出されたフレキシブルタッチパネル１０５を保持し、当該フレキシブルタッチパネル１０５におけるタッチ操作による押圧を支持する押圧指示面をフレキシブルタッチパネル１０５の背面側に形成する背面板１０３ｄを保持するフレーム１０３と、フレーム１０３に対して第２の摩擦係数をもってフレキシブルタッチパネル１０５の引き出し方向に伸縮可能に連結されるとともに、収納部１０１から引き出されたフレキシブルタッチパネル１０５を保持し、当該フレキシブルタッチパネル１０５におけるタッチ操作による押圧を支持する押圧指示面をフレキシブルタッチパネル１０５の背面側に形成する背面板１０４ｄを保持するフレーム１０４とを備える。
【００４５】
この携帯端末１００において、フレキシブルタッチパネル１０５の収納時には、背面板１０２ｄと背面板１０４ｄとは、背面板１０３ｄを挟むように重ねて配置されるように、フレーム１０２、フレーム１０３、およびフレーム１０４は、相互に重なった縮小状態となる。
【００４６】
フレキシブルタッチパネル１０５が引き出されるときには、フレーム１０２およびフレーム１０３は、背面板１０２ｄと背面板１０３ｄとが重なり合う範囲で伸縮可能に構成され、フレーム１０３およびフレーム１０４は、背面板１０３ｄと背面板１０４ｄが重なり合う範囲で伸縮可能に構成される。
【００４７】
ここで、第１の摩擦係数および第２の摩擦係数を互いに異なった係数に調整することで、フレーム１０２、フレーム１０３およびフレーム１０４のそれぞれを段階的に引き出すことが可能となる。そして、背面板１０２ｄ、背面板１０３ｄ、および背面板１０４ｄは、フレキシブルタッチパネル１０５が引き出された状態においては、それぞれが形成する押圧指示面が、他の背面板が形成する押圧指示面と略同一面で形成するように、上側に重ねられた部分における背面板には下方に傾斜したテーパ部Ｔ１、Ｔ２が形成されている。
【００４８】
ここで図７および図８を用いてテーパ部Ｔ１，Ｔ２と、背面板との関係について説明する。図７は、本実施形態の携帯端末１００の段階的にフレームが引き出されたときの模式図を示す。図７において、第１の摩擦係数μ１＞第２の摩擦係数μ２に調整したものである。図７（ａ）においては、背面板１０２ｄから背面板１０４ｄが重なった状態で待機している。
【００４９】
フレキシブルタッチパネル１０５を引き出そうとして、その引き出し方向に力を加えると、摩擦係数μ２が小さいため、先にフレーム１０４が引き出される（図７（ｂ））。その際、背面板１０４ｄは、背面板１０３ｄの上に重なっており、その重なっている部分においてテーパ部Ｔ１が形成されていることになる為、その段差を解消することができる。
【００５０】
さらに引き出し方向に、フレーム１０４が引き出されると、フレーム１０３が、引き出されることになる（図７（ｃ））。ここで背面板１０３ｄは、背面板１０２ｄの上に重ねてられており、その部分においては、背面板１０２ｄ側に下に傾斜するテーパ部Ｔ２が形成されていることから、背面板１０３ｄと背面板１０２ｄとの段差を解消することができる。
【００５１】
一方、摩擦係数μ１とμ２との値を変えることにより、フレーム１０２〜１０４の引き出し順序を変えることができる。図８は、摩擦係数μ１＜μ２とした場合のフレーム１０２〜フレーム１０４の引き出し遷移を示す模式図である。
【００５２】
図８（ａ）は、図７（ａ）に示されるものと同様に、携帯端末１００においてフレキシブルタッチパネル１０５が待機している状態を示す。
【００５３】
上述と同様に、フレキシブルタッチパネル１０５を引き出すための、その引き出し方向に力が加えられると、摩擦係数μ１が小さいため、フレーム１０３がフレーム１０２から引き出される（図８（ｂ））。このとき、フレーム１０３はフレーム１０４と重なっているため、フレーム１０４も、フレーム１０３に引きずられて引き出される。ここで、背面板１０２ｄには、その背面板１０３ｄが配置されている方向に下に傾斜するテーパ部Ｔ３が形成されている。よって、その段差を解消することができる。
【００５４】
さらに引き出し方向に、力が加えられると、フレーム１０４がフレーム１０３から引き出されることになる（図８（ｃ））。ここでの背面板１０３ｄには、背面板１０４ｄが位置する方向に下に傾斜したテーパ部Ｔ４が形成されていることから、背面板１０３ｄと背面板１０２ｄとの段差を解消することができる。
【００５５】
図７および図８に示した通り、摩擦係数をいずれに設定したとしても、そのフレーム１０２〜１０４の引き出す順序を一様にして、それにしたがってテーパ部を形成する向きを変えることで、背面板が重なった際における段差を解消することができる。
【００５６】
また、本実施形態の携帯端末１００においては、フレーム１０２には、フレキシブルタッチパネル１０５の引き出し方向にガイド溝１０２ｂが形成されており、フレーム１０３は、ネジ状の保持具１０２ａをガイド溝１０２ｂに沿って摺動可能に締め付けることにより、フレーム１０２に連結される。
【００５７】
また、フレーム１０３には、フレキシブルタッチパネル１０５の引き出し方向に摺動可能なガイド溝１０３ｂが形成されており、フレーム１０４は、ネジ状の保持具１０３ａをガイド溝１０３ｂに沿って摺動可能に締め付けることによって、フレーム１０３に連結される。
【００５８】
この保持具１０２ａおよび１０３ａの締め付け具合によって、上述の摩擦係数μ１μ２を変えることができる。
【符号の説明】
【００５９】
１００…携帯端末、１０１…収納部、１０２、１０３、１０４…フレーム、１０２ａ、１０３ａ、１０４ａ…保持具、１０５…フレキシブルタッチパネル、１０２ｂ、１０３ｂ、１０４ｂ…ガイド溝、１０２ｄ、１０３ｄ、１０４ｄ…背面板、１０２ｅ、１０３ｅ、１０４ｅ…カバー、１０２ｆ、１０３ｆ…伸縮溝、１０５ａ…保護フィルム。
【図１】
0006639294.tif 000002
【図２】
0006639294.tif 000003
【図３】
0006639294.tif 000004
【図４】
0006639294.tif 000005
【図５】
0006639294.tif 000006
【図６】
0006639294.tif 000007
【図７】
0006639294.tif 000008
【図８】
0006639294.tif 000009